(57)【要約】【課題】各種センサを利用した通知システムや環境管理システムの導入が容易なネットワークシステムを提供すること。【解決手段】状態検出装置１０と検出結果処理装置２０が無線ネットワークで接続されたネットワークシステムであって、前記状態検出装置２０は、電子機器の動作状態、建造物又は工作物内の環境、物品の状態の少なくとも１つを検出するセンサ１２と、前記センサ１２の検出信号を無線で送信する検出信号送信部１４と、を含み、記検出結果処理装置２０は、前記検出信号を無線で受信する検出信号受信部２２と、前記検出信号に基づき、電子機器の動作状態、建造物又は工作物内の環境、又は物品の状態を通知する通知情報を生成する通知情報生成部２６と、を含む。【選択図】図１
2015097354.tif 000002
【特許請求の範囲】
【請求項１】
状態検出装置と検出結果処理装置が無線ネットワークで接続されたネットワークシステムであって、
前記状態検出装置は、
電子機器の動作状態、建造物又は工作物内の環境、物品の状態の少なくとも１つを検出するセンサと、
前記センサの検出信号を無線で送信する検出信号送信部と、を含み、
前記検出結果処理装置は、
前記検出信号を無線で受信する検出信号受信部と、
前記検出信号に基づき、電子機器の動作状態、建造物又は工作物内の環境、又は物品の状態を通知する通知情報を生成する通知情報生成部と、を含むネットワークシステム。
【請求項２】
請求項１において、
前記検出信号に基づき、電子機器の動作の制御信号を生成する制御信号生成部を含むネットワークシステム。
【請求項３】
状態検出装置と検出結果処理装置が無線ネットワークで接続されたネットワークシステムであって、
前記状態検出装置は、
電子機器の動作状態、建造物又は工作物内の環境、物品の状態を検出するセンサと、
前記センサの検出信号を無線で送信する検出信号送信部と、を含み、
前記検出結果処理装置は、
前記検出信号を無線で受信する検出信号受信部と、
前記検出信号に基づき、電子機器の動作の制御信号を生成する制御信号生成部と、を含むネットワークシステム。
【発明の詳細な説明】
【技術分野】
【０００１】
本発明は、ネットワークシステムに関する。
【背景技術】
【０００２】
建物や工作物等に環境を周囲測定するセンサを設置し、センサで測定した検出結果を、無線又は有線で接続された端末に自動で送信し、検出結果を定期的に端末に表示し、環境監視や周辺機器の制御を行う通知システムや環境管理システムが知られている。
【先行技術文献】
【特許文献】
【０００３】
【特許文献１】特開２００７−３０５０５６号公報
【発明の概要】
【発明が解決しようとする課題】
【０００４】
係る環境管理システムにおいては、検出センサを配置する為に、大きな工事を伴う電源の配線や設置位置の限定など制約が多くあった。さらに防水や防塵の対応を行う為に、複雑な構造のシステムを実現する必要があり、開発コストや開発期間がかかり、簡単に実現できることが困難であった。
【０００５】
本発明は、以上のような課題に鑑みてなされたものであり、本発明の幾つかの態様によれば、各種センサを利用した通知システムや環境管理システムの導入が容易なネットワークシステムを提供することができる。
【課題を解決するための手段】
【０００６】
（１）本発明に係るネットワークシステムは、
状態検出装置と検出結果処理装置が無線ネットワークで接続されたネットワークシステムであって、
前記状態検出装置は、
電子機器の動作状態、建造物又は工作物内の環境、物品の状態の少なくとも１つを検出するセンサと、
前記センサの検出信号を無線で送信する検出信号送信部と、を含み、
前記検出結果処理装置は、
前記検出信号を無線で受信する検出信号受信部と、
前記検出信号に基づき、電子機器の動作状態、建造物又は工作物内の環境、又は物品の状態を通知する通知情報を生成する通知情報生成部と、を含むネットワークシステムに関する。
【０００７】
本発明によれば、各種センサを利用した通知システムや環境管理システムの導入が容易なネットワークシステムを提供することができる。
【０００８】
（２）このネットワークシステムにおいて、
前記検出信号に基づき、電子機器の動作の制御信号を生成する制御信号生成部を含んでもよい。
【０００９】
（３）本発明に係るネットワークシステムは、
状態検出装置と検出結果処理装置が無線ネットワークで接続されたネットワークシステムであって、
前記状態検出装置は、
電子機器の動作状態、建造物又は工作物内の環境、物品の状態を検出するセンサと、
前記センサの検出信号を無線で送信する検出信号送信部と、を含み、
前記検出結果処理装置は、
前記検出信号を無線で受信する検出信号受信部と、
前記検出信号に基づき、電子機器の動作の制御信号を生成する制御信号生成部と、を含むネットワークシステムに関する。
【００１０】
このようにすると、ユーザは、電子機器の操作部を操作することなく、電子機器を操作することが可能になる。従って、電子機器の操作部を、ユーザが知覚可能な態様にする必要がなくなる。すなわち本発明によると、検出結果処理装置に電子機器の操作部を表出させる必要がなくなるため、外観上の制約を受けずに電子機器をどこにでも（例えばユーザの手の届かないところにも）配置することが可能となる。
【図面の簡単な説明】
【００１１】
【図１】第１の実施の形態のネットワークシステムの構成図。
【図２】第２の実施の形態のネットワークシステムの構成図。
【図３】ネットワークシステムで使用するセンサの一例を示す図。
【図４】通知システムについて説明するための図。
【図５】住居管理システムについて説明するための図。
【図６】遠隔操作システムの構成例。
【図７】本ネットワークシステムの構成部品の具体的イメージ図。
【図８】ビニールハウスの温度管理システムについて説明するための図。
【図９】ビニールハウスの照度管理システムについて説明するための図
【図１０】監視システムについて説明するための図。
【発明を実施するための形態】
【００１２】
以下、本発明の好適な実施形態について図面を用いて詳細に説明する。なお、以下に説明する実施の形態は、特許請求の範囲に記載された本発明の内容を不当に限定するものではない。また以下で説明される構成の全てが本発明の必須構成要件であるとは限らない。
【００１３】
１．構成
図１は、第１の実施の形態のネットワークシステムの構成図である。
【００１４】
第１の実施の形態のネットワークシステム１は、状態検出装置１０と検出結果処理装置２０が無線ネットワークで接続されたネットワークシステムである。状態検出装置１０は、電子機器の動作状態（電源のＯＮ／ＯＦＦの状態や温度設定等）、建造物又は工作物内の環境（温度、明るさ、湿度等）、物品の状態（スイッチのＯＮ／ＯＦＦの状態を含む）の少なくとも１つを検出するセンサ１２と、センサ１２の検出信号を無線で送信する検出信号送信部１４を含む。
【００１５】
検出結果処理装置２０は、検出信号を無線で受信する検出信号受信部２２と、検出信号に基づき、電子機器２０の動作状態（電源のＯＮ／ＯＦＦの状態や温度設定等）、建造物又は工作物内の環境（温度、明るさ、湿度等）、又は物品の状態（スイッチのＯＮ／ＯＦＦの状態を含む）を通知する通知情報（通知画像）を生成する通知情報生成部２４を含む。検出結果処理装置２０は、例えばタブレット端末やスマートフォンパーソナルコンピュータ、携帯用ゲーム機、形態電話等で構成してもよい。
【００１６】
状態検出装置１０は、環境発電部１６を含み、環境発電部１６の発電した電力を用いて駆動する自己発電システムで構成でもよい。環境発電は、例えば光や温度や圧力や温度等
による発電でもよい。このようにすると状態検出装置の電源・電池が不要な使いやすいシステムを構築することができる。
【００１７】
検出信号送信部１４は、少なくとも無線で送信する機能を有していればよく、例えばＲＦ（Ｒａｄｉｏ  Ｆｒｅｑｕｅｎｃｙ）タグや非接触型の無線周波数識別装置（無線タグ）等の無線送信機（無線送信用ＩＣとアンテナ等）により実現することができる。また赤外線通信やBluetooth（ブルートゥース）（登録商標）や無線LANやWi-Fi（ワイファイ、Wireless Fidelity）当を利用して無線通信を行う無線モジュールで実現してもよい。
【００１８】
本ネットワークシステム１は複数の状態検出装置１０を含んでもよい。各状態検出装置１０は、少なくとも１つの状態を検出するセンサを含む。複数の状態検出装置は、同種のセンサを含むものでもよいし、種類の異なるセンサを含むものでもよい。例えば、スイッチ（圧力）、振動、温度、人感、流量などセンサでもよいし、それ以外のセンサでもよい。
【００１９】
通知情報生成部２４は、通知情報として通知画像を生成してもよいし、通知音や通知音声を生成してもよい。通知画像は検出結果処理装置の表示部に出力されるようにしてもよい。また通知音や通知音声は検出結果処理装置２０の音出力部（スピーカ）から出力されるようにしてもよい。
【００２０】
第１の実施の形態のネットワークシステム１は、検出信号に基づき、電子機器３０の動作の制御信号を生成する制御信号生成部２６を含んでもよい。
【００２１】
検出結果処理装置２０と電子機器３０は無線で接続され、制御信号により電子機器のＯＮ／ＯＦＦや各種操作を行うようにしてもよい。
【００２２】
図２は、第２の実施の形態のネットワークシステムの構成図である。第１の実施の形態のネットワークシステム１と同様の構成については同じ符合を付しており、同様の機能を有しているので、重複する説明は省略する。
【００２３】
第２の実施の形態のネットワークシステム２は、状態検出装置１０と検出結果処理装置２０が無線ネットワークで接続されたネットワークシステムである。状態検出装置１０は、電子機器の動作状態（電源のＯＮ／ＯＦＦの状態や温度設定等）、建造物又は工作物内の環境（温度、明るさ、湿度等）、物品の状態（スイッチのＯＮ／ＯＦＦの状態の少なくとも１つを含む）を検出するセンサ１２と、前記センサの検出信号を無線で送信する検出信号送信部１４を含む。
【００２４】
検出結果処理装置２０は、検出信号を無線で受信する検出信号受信部２２と、検出信号に基づき、電子機器の動作の制御信号を生成する制御信号生成部２６を含む。
【００２５】
例えばセンサとして、温度センサを用いる場合、ユーザが予め温度の閾値を設定しておくことにより、電子機器（例えば暖房機器や空調機器）を制御する制御信号（例えば電子機器の操作部の操作に対応した操作信号でもよい）を発報することができる。
【００２６】
図３は、本実施の形態のネットワークシステムで使用するセンサの一例を示している。
【００２７】
なお、本発明に適用可能な検出センサは、特定の構成の検出センサに限定されるものではなく、既に公知となっているあらゆる検出センサを適用してもよい。本システムでは、個々のセンサの識別情報（ID番号）を管理しており、検出結果がどのセンサのものであるか認識できるようになっている。
【００２８】
本ネットワークシステムを設置する場所は、家屋（壁、床、天井、屋根、柱）やビルや工場などの施設、農業に関連して自然環境の畑や田んぼなど、工業製品の電車、自動車などを含む。また、工作物とは、建造物に固定された工作物でもよく、家屋等に備え付けられたドアやバスタブやバスユニット、換気扇ユニット、トイレユニット、システムキッチンを含む。また、物品とは静置して利用される物品でもよく、テーブルや椅子、本棚やクローゼットなどの家具、家屋等に備え付けられて利用される操作対象である電子機器本体及びリモコンを含む。ただし、これらは、建造物、工作物、物品の一例であり、本発明はこれに限られるものではない。また、本発明は、建造物と工作物、工作物と静置物品、静置物品と建造物などの、異なる分類に同時に属する部材を対象に含む。
【００２９】
また、本発明が操作の対象とする電子機器についても、特に限定されるものではない。
【００３０】
２．通知システム
図４は、本実施形態の具体例である通知システムについて説明するための図である。
【００３１】
本通知システム１００は、複数の無線スイッチ（状態検出装置の一例）１１０とタブレット端末（検出結果処理装置の一例）１２０を含む呼び出し・通知システム１００である。
【００３２】
無線スイッチ１１０は、押した力で発電し、その電力のみでスイッチＯＮ／ＯＦＦ状態の情報（検出信号の一例）を無線で送信する。タブレット端末１２０は、そのＯＮ／ＯＦＦ状態の情報を受信して画面に表示する。このように本通知システム１００は、スイッチが押されると、どのスイッチが押されたかをタブレット１２０の画面上に表示することができる。
【００３３】
本通知システム１００は、無線スイッチ１１０が１台とタブレット端末１２０が1台から構成可能であるが、それぞれ複数台に増設してもよい。タブレット端末１２０側にUSBタイプのレシーバーを装着してもよい。
【００３４】
本通知システム１００は、無線スイッチ１１０とタブレット端末１２０はワイヤレス通信（電波による無線方式）なので、無線スイッチ〜タブレット間の配線が不要であると同時に、ドア、壁などの障害物があっても設定可能である。またワイヤレス通信であることから、配線工事が不要であり、無線スイッチ１１０の増設も非常に簡単に行うことができる。
【００３５】
また本通知システム１００の無線スイッチ１１０は、押した力で発電する環境発電（自己発電部の一例）なので、電源・電池ともに不要である。
【００３６】
従って本通知システム１００は、従来システムに比べて、低コストで導入が簡単である。  本通知システム１００によれば、無線スイッチ１１０を用いて離れたところから呼び出したり、通知したりできるので、レストランの呼び出しシステム、病院や介護の呼び出しや通知システム、会議室使用状況管理システム、工場内の設備使用状況管理システム、その他各種設備の呼び出しや通知システム等幅広く活用することができる。
【００３７】
例えば会議室使用状況管理システムにおいては、会議室の照明のスイッチを無線スイッチで構成することにより、タブレット端末１２０で会議室の照明のＯＮ／ＯＦＦの状態を確認することができる。
【００３８】
なおタブレット端末１２０で各会議室の電子機器（例えば空調等）の動作を制御する制
御信号を生成して送信し、電子機器を遠隔制御できるようにしてもよい。制御信号の生成・送信はユーザが端末から指示することで行う構成でもよい。すなわちユーザがタブレット端末１２０に表示された各会議室の照明のＯＮ／ＯＦＦの状態（各会議室の使用状況）を見て、タブレット端末１２０から電子機器（例えば空調等）を指定して、当該電子機器（例えば空調等）に対する操作（例えば空調のＯＮ／ＯＦＦや温度の制御）を指示する入力をおこなってもよい。
【００３９】
また、ユーザが予め照明の電源がＯＮになったら電子機器（例えば空調等）の電源もＯＮにし、照明の電源がＯＦＦになったら電子機器（例えば空調等）の電源もＯＦＦにする設定しておくことにより、電子機器（例えば空調等）を制御する制御信号（例えば電子機器の操作部の操作に対応した操作信号でもよい）を自動発報するようにしてもよい。このようにすると、会議室の電子機器を、センサが検出した会議室の状態に基づき自動的に制御することができる。
【００４０】
３．住居管理システム
図５は、本実施形態の具体例である住居管理システムについて説明するための図である。
【００４１】
本住居管理システムは、住居の電子機器を制御するシステムであり、複数の状態検出装置２１０−１〜２１０−４、１１０とタブレット端末（検出結果処理装置の一例）１２０を含む。
【００４２】
状態検出装置２１０−１、２１０−２、２１０−３、２１０−４は、それぞれ玄関用照明（玄関のシューズクローク付近）のスイッチのＯＮ／ＯＦＦ状態、リビング用照明のスイッチのＯＮ／ＯＦＦ状態、キッチン用照明のスイッチのＯＮ／ＯＦＦ状態、ダイニング用照明のスイッチのＯＮ／ＯＦＦ状態を検出するセンサを含み、押した力で発電し、その電力のみでスイッチＯＮ／ＯＦＦ状態の情報（検出信号の一例）を無線で送信する。
【００４３】
状態検出装置２１２は、玄関先の人感センサを含み、太陽光発電（環境発電の一例）で発電し、その電力のみで玄関先の人感状態の情報（検出信号の一例）を無線で送信する。
【００４４】
状態検出装置２１４は、温度センサを含み、太陽光発電（環境発電の一例）で発電し、その電力のみでリビング気温の情報の情報（検出信号の一例）を無線で送信する。
【００４５】
タブレット端末は状態検出装置２１０−１、２１０−２，２１０−３、２１０−４、２１２、２１４からの検出結果の情報（検出信号の一例）を受信すると、検出結果通知画像２３０を生成し、タブレット端末に表示する。検出結果通知画像２３０は、無線で取得した状態検出装置２１０−１、２１０−２、２１０−３、２１０−４、２１２、２１４のセンサの検出結果を表示したものである。表示は、PCやタブレット、スマートフォンで行うことができ、あらゆるセンサの検出結果を関連付け表示することが可能である。ユーザは検出結果通知画像２３０を参照することで、住居の照明や温度や来客の情報を取得することができる。
【００４６】
なおタブレット端末で住居の電子機器（例えば照明や空調等）の動作を制御する制御信号を生成して送信し、電子機器（例えば照明や空調等）を遠隔制御できるようにしてもよい。制御信号の生成・送信はユーザの端末からの指示により行う構成でもよい。すなわちユーザがタブレット端末に表示された検出結果通知画像２３０（住居の照明や温度や来客の情報を示している）を見て、タブレット端末から電子機器（例えば照明や空調等）を指定して、当該電子機器（例えば照明や空調等）に対する操作指示（例えば空調や照明のＯＮ／ＯＦＦや温度の制御）を行うことにより制御信号が生成・送信される構成でもよい。
【００４７】
また、ユーザが予め制御信号の生成・送信条件を設定（例えば照明の電源がＯＮになったら電子機器（例えば空調等）の電源もＯＮにし、照明の電源がＯＦＦになったら電子機器（例えば空調等）の電源もＯＦＦにする設定）しておくことにより、電子機器（例えば空調等）を自動制御する構成でもよい。このようにすると、住居の電子機器を、センサが検出した住居の状態に基づき自動的に制御することができる。
【００４８】
４．ＩＴ農業システム
次に、本実施形態の具体例である農作業にかかる自動化システムについて説明する。
【００４９】
本ネットワークシステムを用いることにより、農作業等における各種管理を遠隔操作により自動化することができる。従来のシステムは、遠隔操作をする場合、高額なシステムを導入する必要があったが、本実施の形態では、機材をそのままコンセントに接続するだけで使用できる容易かつ安価なシステムを実現できる。
【００５０】
図６は、農作業にも活用できる遠隔操作システムの構成例を示している。遠隔操作システム３００は、無線スイッチ（状態検出装置の一例）３１０と電子機器制御装置（検出結果処理装置の一例）３２０とで構成することができる。
【００５１】
無線スイッチ３１０は、押した力で発電し、その電力のみでスイッチのＯＮ／ＯＦＦ状態により生成させる制御信号（検出信号の一例）３１２を無線で送信する。電子機器制御装置３２０は、無線スイッチからの信号を無線受信可能な受信モジュール３２２、電源３２４、コンセント３２６−１、３２６−２を含む。電燈３５０や換気扇３５２の差し込みプラグを電子機器制御装置３２０のコンセント３２６−１、３２６−２に接続すると、無線スイッチ３１０からの制御信号３１２で電燈３５０や換気扇３５２のＯＮ／ＯＦＦ等を遠隔制御することができる。
【００５２】
図７は、本ネットワークシステムの構成部品である無線スイッチ３１０と電子機器制御装置３２０の具体的イメージ図である。無線スイッチ３１０の自己発電は、力量・太陽光・風力・温度差などいずれでもよい。
【００５３】
電子機器制御装置３２０は、電源タップの状態で、電燈や換気扇のみならず、遠隔操作したい各種電気製品の差し込みプラグをコンセントに差し込むことができ、これにより無線スイッチで各種電気製品を遠隔操作することができる。
【００５４】
図８は、ビニールハウスの温度管理システムについて説明するための図である。ビニールハウス内の換気扇４５０を図６の３２０（図７の３２０）に示すような電子機器制御装置に接続する。またビニールハウス内に複数の温度検出装置（状態検出装置の一例であり温度センサと無線送信モジュールを含む）４１０−１〜４１０−ｎを設置し、温度を測定し、測定情報を無線で送信する。測定情報を受信した電子機器制御装置は、測定情報が所定の条件を満たした場合（例えば、複数の温度検出装置の少なくともＮ個の測定温度が所定の基準値以上である場合）に、ビニールハウス内の換気扇４５０を回すようにしてもよい。
【００５５】
図９は、ビニールハウスの照度管理システムについて説明するための図である。ビニールハウス内の散水機（スプリンクラー）５５０−ｎを図６の３２０（図７の３２０）に示すような電子機器制御装置に接続する。またビニールハウス内に少なくとも１つの照度検出装置（状態検出装置の一例であり照度センサと無線送信モジュールを含む）５１０を設置し、照度を測定し、測定情報を無線で送信する。測定情報を受信した電子機器制御装置は、測定された照度が所定の条件を満たした場合（例えば、測定された照度が所定の基準
値以下である場合）に、散水機（スプリンクラー）５５０−ｎでビニールハウス内に散水するようにしてもよい。散水時間はタイマで設定するようにしてもよい。
【００５６】
なお照度だけでなく、温度と照度により散水の有無を判断する場合には、照度と温度の検出装置（状態検出装置の一例であり、照度センサと温度センサと無線送信モジュールを含む）を設置し、照度及び温度を測定し、照度及び温度の測定情報を無線で送信する。測定情報を受信した電子機器制御装置は、測定情報が所定の条件を満たした場合（例えば、測定された照度及び温度が所定の基準値以下である場合）に、散水機（スプリンクラー）５５０−ｎでビニールハウス内に散水するようにしてもよい。
【００５７】
５．監視システム
図１０は、倉庫やビニールハウス等の建造物の監視システムについて説明するための図である。監視対象の建造物内の電燈６５０及び建造物の回転灯６５２を図６の３２０（図７の３２０）に示すような電子機器制御装置に接続する。また建造物内に複数の人検出装置（状態検出装置の一例であり人感センサと無線送信モジュールを含む）６１０を設置し、建造物内の人を検出し、検出信号を無線で送信する。
【００５８】
検出情報を受信したタブレット端末（検出結果処理装置の一例）６２０は、検出信号を受信し、受信した検出情報を解析して、検出情報が所定の条件を満たす場合（人感センサが人を検出したと判断した場合）には、タブレット端末６２０に警告メッセージを出力する。警告メッセージは、表示部に表示する形式で出力してもよいし、警告音や警告音声メッセージとしてタブレット端末のスピーカより出力してもよい。
【００５９】
また電燈６５０や回転燈６５２の差し込みプラグを電子機器制御装置３２０のコンセント３２６−１、３２６−２に接続し、検出信号を受信し、受信した検出情報を解析して、検出情報が所定の条件を満たす場合（人感センサが人を検出したと判断した場合）には、電燈６５０や回転燈６５２の電源をＯＮするようにしてしてもよい。
【００６０】
本発明は、実施の形態で説明した構成と実質的に同一の構成（例えば、機能、方法及び結果が同一の構成、あるいは目的及び効果が同一の構成）を含む。また、本発明は、実施の形態で説明した構成の本質的でない部分を置き換えた構成を含む。また、本発明は、実施の形態で説明した構成と同一の作用効果を奏する構成又は同一の目的を達成することができる構成を含む。また、本発明は、実施の形態で説明した構成に公知技術を付加した構成を含む。
【符号の説明】
【００６１】
１  ネットワークシステム、１０  状態検出装置、１２  センサ、１４  検出信号送信部、１６  環境発電部、２０  検出結果処理装置、２２  検出信号受信部、２４  通知情報生成部、２６  制御信号生成部、３０  電子機器
【図１】
2015097354.tif 000003
【図２】
2015097354.tif 000004
【図３】
2015097354.tif 000005
【図４】
2015097354.tif 000006
【図５】
2015097354.tif 000007
【図６】
2015097354.tif 000008
【図７】
2015097354.tif 000009
【図８】
2015097354.tif 000010
【図９】
2015097354.tif 000011
【図１０】
2015097354.tif 000012